(57)【要約】【課題】交流電源を負荷の駆動電源として用いる負荷駆動装置の複数の構成要素のオンオフ状態を判定することができる技術を提供する。【解決手段】交流電源、第１負荷、第１スイッチを備える負荷駆動装置のための判定装置であって、入力側発光素子及び出力側受光素子を備えるフォトカプラと、第１抵抗と、第２抵抗と、第１電流経路と、第２電流経路と、出力側回路と、制御装置を備える。第１電流経路は、交流電源と、第１スイッチと、第１負荷と、第１抵抗と、入力側発光素子の間で電流が流れる経路であり、第１抵抗と入力側発光素子の直列接続を、第１負荷に並列に接続したものが、第１スイッチに直列に接続されている。第２電流経路は、交流電源と、第２抵抗と、入力側発光素子の間で電流が流れる経路であり、第２抵抗と入力側発光素子が直列に接続されている。制御装置は、出力側回路の出力値に基づいて交流電源及び第１スイッチのオンオフ状態を判定する。【選択図】図１
2020005016.tif 000002
【特許請求の範囲】
【請求項１】
交流電源と、前記交流電源から電力が供給される第１負荷と、前記交流電源から前記第１負荷への電力の供給を許可するオン状態と前記交流電源から前記第１負荷への電力の供給を禁止するオフ状態の間で切り替わる第１スイッチを備える負荷駆動装置に使用される判定装置であって、
入力側発光素子と、出力側受光素子を備えるフォトカプラと、
第１抵抗と、
第２抵抗と、
前記交流電源と、前記第１スイッチと、前記第１負荷と、前記第１抵抗と、前記入力側発光素子の間で電流が流れる第１電流経路と、
前記交流電源と、前記第２抵抗と、前記入力側発光素子の間で電流が流れる第２電流経路と、
前記出力側受光素子に接続された出力側回路と、
前記出力側回路に接続された制御装置を備えており、
前記第１電流経路において、前記第１抵抗と前記入力側発光素子の直列接続を、前記第１負荷に並列に接続したものが、前記第１スイッチに直列に接続されており、
前記第２電流経路において、前記第２抵抗と前記入力側発光素子が直列に接続されており、
前記制御装置が、前記出力側回路の出力値に基づいて、前記交流電源のオンオフ状態、及び、前記第１スイッチのオンオフ状態を判定する、判定装置。
【請求項２】
前記負荷駆動装置は、さらに、前記交流電源から電力が供給される第２負荷と、前記交流電源から前記第２負荷への電力の供給を許可するオン状態と前記交流電源から前記第２負荷への電力の供給を禁止するオフ状態の間で切り替わる第２スイッチを備えており、
前記判定装置は、さらに、前記第１抵抗とは異なる抵抗値を有する第３抵抗と、
前記交流電源と、前記第２スイッチと、前記第２負荷と、前記第３抵抗と、前記入力側発光素子の間で電流が流れる第３電流経路を備えており、
前記第３電流経路において、前記第３抵抗と前記入力側発光素子の直列接続を、前記第２負荷に並列に接続したものが、前記第２スイッチに直列に接続されており、
前記制御装置が、前記出力側回路の出力値に基づいて、前記交流電源のオンオフ状態、前記第１スイッチのオンオフ状態、及び、前記第２スイッチのオンオフ状態を判定する、請求項１に記載の判定装置。
【請求項３】
交流電源と、前記交流電源から電力が供給される第１負荷と、前記交流電源から前記第１負荷への電力の供給を許可する状態と禁止する状態の間で切り替わる第１スイッチと、前記交流電源から電力が供給される第２負荷と、前記交流電源から前記第２負荷への電力の供給を許可する状態と禁止する状態の間で切り替わる第２スイッチを備える負荷駆動装置に使用される判定装置であって、
入力側発光素子と、出力側受光素子を備えるフォトカプラと、
第１抵抗と、
前記第１抵抗とは異なる抵抗値を有する第３抵抗と、
前記交流電源と、前記第１スイッチと、前記第１負荷と、前記第１抵抗と、前記入力側発光素子の間で電流が流れる第１電流経路と、
前記交流電源と、前記第２スイッチと、前記第２負荷と、前記第３抵抗と、前記入力側発光素子の間で電流が流れる第３電流経路と、
前記出力側受光素子に接続された出力側回路と、
前記出力側回路に接続された制御装置を備えており、
前記第１電流経路において、前記第１抵抗と前記入力側発光素子の直列接続を、前記第１負荷に並列に接続したものが、前記第１スイッチに直列に接続されており、
前記第３電流経路において、前記第３抵抗と前記入力側発光素子の直列接続を、前記第２負荷に並列に接続したものが、前記第２スイッチに直列に接続されており、
前記制御装置が、前記出力側回路の出力値に基づいて、前記第１スイッチのオンオフ状態、及び、前記第２スイッチのオンオフ状態を判定する、判定装置。
【請求項４】
前記出力側回路の出力値は、前記入力側発光素子に流れる電流が所定値を超える場合に、第１電圧値となり、前記入力側発光素子に流れる電流が前記所定値を下回る場合に、前記第１電圧値と異なる第２電圧値となり、
前記制御装置は、前記第１電圧値又は前記第２電圧値のパルス幅を計測することにより、前記交流電源のオンオフ状態、前記第１スイッチのオンオフ状態、及び／又は、前記第２スイッチのオンオフ状態を判定する、請求項１から３のいずれか一項に記載の判定装置。
【発明の詳細な説明】
【技術分野】
【０００１】
本明細書で開示する技術は、負荷駆動装置に使用される判定装置に関する。
【背景技術】
【０００２】
特許文献１には、直流電源と、直流電源から電力が供給される第１負荷と、直流電源から第１負荷への電力の供給を許可するオン状態と禁止するオフ状態との間で切り替わる第１スイッチと、直流電源から電力が供給される第２負荷と、直流電源から第２負荷への電力の供給を許可するオン状態と禁止するオフ状態との間で切り替わる第２スイッチと、を備える負荷駆動装置に使用される判定装置が開示されている。この判定装置は、分圧回路を備えることで、第１スイッチ及び第２スイッチのオンオフ状態の組合せに応じて異なる電圧値を出力する通電検出手段と、通電検出手段の出力が１つの入力ポートに入力される制御装置とを備えている。制御装置は、通電検出手段が出力する電圧値に応じて、第１スイッチ及び第２スイッチのオンオフ状態を判定する。
【先行技術文献】
【特許文献】
【０００３】
【特許文献１】特開２００３−５６８４７号公報
【発明の概要】
【発明が解決しようとする課題】
【０００４】
交流電源と、交流電源から電力が供給される負荷と、交流電源から負荷への電力の供給を許可する状態と禁止する状態の間で切り替わるスイッチを備える負荷駆動装置も知られている。上記の特許文献１の判定装置の技術を、交流電源を負荷の駆動電源として用いる負荷駆動装置のためにそのまま適用すると、制御装置の入力ポートに入力される電圧が過大となり、制御装置が適切に動作できないおそれがある。このような交流電源を負荷の駆動電源として用いる負荷駆動装置においても、スイッチを含む複数の構成要素のオンオフ状態を判定するための技術の提供が求められている。
【０００５】
本明細書では、交流電源を負荷の駆動電源として用いる負荷駆動装置の複数の構成要素のオンオフ状態を判定することができる技術を提供する。
【課題を解決するための手段】
【０００６】
本明細書が開示する一つの判定装置は、交流電源と、前記交流電源から電力が供給される第１負荷と、前記交流電源から前記第１負荷への電力の供給を許可するオン状態と前記交流電源から前記第１負荷への電力の供給を禁止するオフ状態の間で切り替わる第１スイッチを備える負荷駆動装置に使用される判定装置であって、入力側発光素子と、出力側受光素子を備えるフォトカプラと、第１抵抗と、第２抵抗と、前記交流電源と、前記第１スイッチと、前記第１負荷と、前記第１抵抗と、前記入力側発光素子の間で電流が流れる第１電流経路と、前記交流電源と、前記第２抵抗と、前記入力側発光素子の間で電流が流れる第２電流経路と、前記出力側受光素子に接続された出力側回路と、前記出力側回路に接続された制御装置を備えており、前記第１電流経路において、前記第１抵抗と前記入力側発光素子の直列接続を、前記第１負荷に並列に接続したものが、前記第１スイッチに直列に接続されており、前記第２電流経路において、前記第２抵抗と前記入力側発光素子が直列に接続されており、前記制御装置が、前記出力側回路の出力値に基づいて、前記交流電源のオンオフ状態、及び、前記第１スイッチのオンオフ状態を判定する。
【０００７】
この構成によると、交流電源がオン状態である場合には、第２電流経路に電流が流れるが、交流電源がオフ状態である場合には、第２電流経路に電流が流れない。交流電源がオン状態であって、さらに第１スイッチがオン状態である場合には、第１電流経路に電流が流れるが、第１スイッチがオフ状態である場合には、第１電流経路に電流が流れない。第２電流経路に電流が流れる場合、第２電流経路においては、入力側発光素子に、第２抵抗に応じた大きさの電流が流れる。第１電流経路に電流が流れる場合、第１電流経路においては、入力側発光素子に、第１抵抗に応じた大きさの電流が流れる。上記の構成においては、入力側発光素子を流れる電流は、第１電流経路を流れる電流と第２電流経路を流れる電流の和となる。そのため、交流電源のオン状態とオフ状態、及び、交流電源がオン状態である間における第１スイッチのオン状態とオフ状態、の各状態において入力側発光素子に流れる電流の大きさが異なる。その結果、各状態における出力側回路の出力値も異なる。そのため、制御装置は、出力側回路の出力値に基づいて、交流電源のオン状態とオフ状態、及び、交流電源がオン状態である間における第１スイッチのオン状態とオフ状態、の各状態を判定することができる。従って、上記の構成によると、交流電源を第１負荷の駆動電源として用いる負荷駆動装置において、複数の構成要素のオンオフ状態を判定することができる。
【０００８】
前記負荷駆動装置は、さらに、前記交流電源から電力が供給される第２負荷と、前記交流電源から前記第２負荷への電力の供給を許可するオン状態と前記交流電源から前記第２負荷への電力の供給を禁止するオフ状態の間で切り替わる第２スイッチを備えていてもよい。前記判定装置は、さらに、前記第１抵抗とは異なる抵抗値を有する第３抵抗と、前記交流電源と、前記第２スイッチと、前記第２負荷と、前記第３抵抗と、前記入力側発光素子の間で電流が流れる第３電流経路を備えていてもよい。前記第３電流経路において、前記第３抵抗と前記入力側発光素子の直列接続を、前記第２負荷に並列に接続したものが、前記第２スイッチに直列に接続されていてもよい。前記制御装置が、前記出力側回路の出力値に基づいて、前記交流電源のオンオフ状態、前記第１スイッチのオンオフ状態、及び、前記第２スイッチのオンオフ状態を判定してもよい。
【０００９】
この構成によると、交流電源がオン状態であり、さらに第２スイッチがオン状態である場合には、第３電流経路にも電流が流れるが、第２スイッチがオフ状態である場合には、第３電流経路に電流が流れない。第３電流経路に電流が流れる場合、第３電流経路においては、入力側発光素子に、第３抵抗に応じた大きさの電流が流れる。上記の構成においては、入力側発光素子を流れる電流は、第１電流経路を流れる電流と第２電流経路を流れる電流と第３電流経路を流れる電流との和となる。そのため、交流電源のオン状態とオフ状態、交流電源がオン状態である間における第１スイッチのオン状態とオフ状態、及び、交流電源がオン状態である間における第２スイッチのオン状態とオフ状態、の各状態において入力側発光素子に流れる電流の大きさが異なる。そのため、この場合も、各状態における出力側回路の出力値は異なる。従って、制御装置は、出力側回路の出力値に基づいて、交流電源のオン状態とオフ状態、交流電源がオン状態である間における第１スイッチのオン状態とオフ状態、及び、交流電源がオン状態である間における第２スイッチのオン状態とオフ状態、の各状態を判定することができる。
【００１０】
本明細書が開示するもう一つの判定装置は、交流電源と、前記交流電源から電力が供給される第１負荷と、前記交流電源から前記第１負荷への電力の供給を許可する状態と禁止する状態の間で切り替わる第１スイッチと、前記交流電源から電力が供給される第２負荷と、前記交流電源から前記第２負荷への電力の供給を許可する状態と禁止する状態の間で切り替わる第２スイッチを備える負荷駆動装置に使用される判定装置であって、入力側発光素子と、出力側受光素子を備えるフォトカプラと、第１抵抗と、前記第１抵抗とは異なる抵抗値を有する第３抵抗と、前記交流電源と、前記第１スイッチと、前記第１負荷と、前記第１抵抗と、前記入力側発光素子の間で電流が流れる第１電流経路と、前記交流電源と、前記第２スイッチと、前記第２負荷と、前記第３抵抗と、前記入力側発光素子の間で電流が流れる第３電流経路と、前記出力側受光素子に接続された出力側回路と、前記出力側回路に接続された制御装置を備えており、前記第１電流経路において、前記第１抵抗と前記入力側発光素子の直列接続を、前記第１負荷に並列に接続したものが、前記第１スイッチに直列に接続されており、前記第３電流経路において、前記第３抵抗と前記入力側発光素子の直列接続を、前記第２負荷に並列に接続したものが、前記第２スイッチに直列に接続されており、前記制御装置が、前記出力側回路の出力値に基づいて、前記第１スイッチのオンオフ状態、及び前記第２スイッチのオンオフ状態を判定する。
【００１１】
この構成によると、第１スイッチがオン状態である場合には、第１電流経路に電流が流れるが、第１スイッチがオフ状態である場合には、第１電流経路に電流が流れない。第２スイッチがオン状態である場合には、第３電流経路に電流が流れるが、第２スイッチがオフ状態である場合には、第３電流経路に電流が流れない。第１電流経路に電流が流れる場合、第１電流経路においては、入力側発光素子に、第１抵抗に応じた大きさの電流が流れる。第３電流経路に電流が流れる場合、第３電流経路においては、入力側発光素子に、第３抵抗に応じた大きさの電流が流れる。上記の構成においては、入力側発光素子を流れる電流は、第１電流経路を流れる電流と第３電流経路を流れる電流の和となる。そのため、第１スイッチのオン状態とオフ状態、及び、第２スイッチのオン状態とオフ状態の各状態において入力側発光素子に流れる電流の大きさが異なる。その結果、各状態における出力側回路の出力値も異なる。そのため、制御装置は、出力側回路の出力値に基づいて、第１スイッチのオン状態とオフ状態、及び、第２スイッチのオン状態とオフ状態、の各状態を判定することができる。従って、上記の構成によると、交流電源を第１負荷及び第２負荷の駆動電源として用いる負荷駆動装置において、複数の構成要素のオンオフ状態を判定することができる。
【００１２】
前記出力側回路の出力値は、前記入力側発光素子に流れる電流が所定値を超える場合に、第１電圧値となり、前記入力側発光素子に流れる電流が前記所定値を下回る場合に、前記第１電圧値と異なる第２電圧値となってもよい。前記制御装置は、前記第１電圧値又は前記第２電圧値のパルス幅を計測することにより、前記交流電源のオンオフ状態、前記第１スイッチのオンオフ状態、及び／又は、前記第２スイッチのオンオフ状態を判定してもよい。
【００１３】
上記の通り、入力側発光素子に流れる電流の大きさは、交流電源のオンオフ状態、第１スイッチのオンオフ状態、及び／又は、第２スイッチのオンオフ状態に応じて異なる。そのため、上記の構成によると、１周期内で出力側回路の出力値が第１電圧値又は第２電圧値となる時間（即ち、第１電圧値又は第２電圧値のパルス幅）は、交流電源のオンオフ状態、第１スイッチのオンオフ状態、及び／又は、第２スイッチのオンオフ状態に応じて異なることになる。即ち、第１電圧値又は第２電圧値のパルス幅の値は、判定対象である交流電源のオンオフ状態、第１スイッチのオンオフ状態、及び／又は、第２スイッチのオンオフ状態に応じて予め定まっている。上記の構成によれば、出力側回路で平滑処理を行うことなく、制御装置が第１電圧値又は第２電圧値のパルス幅を計測することで、複数の構成要素のそれぞれのオンオフ状態を適切に判断することができる。従って、上記の構成によると、判定装置は、比較的簡易な構成で、複数の構成要素のそれぞれのオンオフ状態を適切に判断することができる。
【図面の簡単な説明】
【００１４】
【図１】第１実施例の判定装置２の構成を模式的に示す図。
【図２】第１実施例の入力側発光素子４２に流れる電流の波形を示すグラフ。
【図３】第１実施例の出力側回路６０の出力信号の電圧の波形を示すグラフ。
【図４】第２実施例の判定装置１０２の構成を模式的に示す図。
【図５】第２実施例の入力側発光素子４２に流れる電流の波形を示すグラフ。
【図６】第２実施例の出力側回路６０の出力信号の電圧の波形を示すグラフ。
【図７】第３実施例の判定装置２０２の構成を模式的に示す図。
【図８】第４実施例の判定装置３０２を模式的に示す図。
【発明を実施するための形態】
【００１５】
（第１実施例）
図１に示される本実施例の判定装置２は、負荷駆動装置１に使用される装置であって、負荷駆動装置１の構成要素のオンオフ状態を判定するための装置である。図１の判定装置２は、負荷駆動装置１と、第１抵抗２０と、第１ダイオード２２と、第２抵抗３０と、第２ダイオード３２と、フォトカプラ４０と、出力側回路６０と、マイコン１００と、を備える。
【００１６】
負荷駆動装置１は、交流電源１０と、第１ヒータ１２と、第１スイッチ１４と、を備える。交流電源１０は、負荷駆動装置１の駆動電源であり、例えば商用電源等の１００Ｖ電源である。交流電源１０は、負荷駆動装置１への電力の供給を許可するオン状態と、負荷駆動装置１への電力の供給を禁止するオフ状態との間で切り替え可能である。第１ヒータ１２は、交流電源１０から供給される電力を利用して発熱するヒータである。第１ヒータ１２は、負荷駆動装置１における負荷である。第１スイッチ１４は、交流電源１０から第１ヒータ１２への電力の供給を許可するオン状態と、第１ヒータ１２への電力の供給を禁止するオフ状態との間で切り替わるスイッチである。交流電源１０及び第１スイッチ１４のオンオフ状態の切り替えは、図示しない制御装置によって行われる。他の例では、交流電源１０及び第１スイッチ１４のオンオフ状態の切り替えは、マイコン１００によって行われてもよい。
【００１７】
第１抵抗２０は、抵抗値Ｒ１の抵抗である。第１ダイオード２２は第１抵抗２０と直列に接続されている。第１ダイオード２２が備えられることにより、交流電源１０から供給される交流電流が整流される。
【００１８】
第２抵抗３０は、抵抗値Ｒ２の抵抗である。抵抗値Ｒ２は抵抗値Ｒ１と異なる。ただし他の例では、抵抗値Ｒ２は抵抗値Ｒ１と等しくてもよい。第２ダイオード３２は第２抵抗３０と直列に接続されている。第２ダイオード３２が備えられることにより、交流電源１０から供給される交流電流が整流される。
【００１９】
フォトカプラ４０は、入力側発光素子４２と、出力側受光素子４４と、を備える。入力側発光素子４２は発光ダイオードである。入力側発光素子４２は、所定の閾値（例えば１．０ｍＡ）以上の大きさの電流が流れる間発光する。そのため、入力側発光素子４２は、流れる電流値の大きさに応じて発光時間が変化する（図２参照）。出力側受光素子４４はフォトトランジスタである。出力側受光素子４４は、光を受光する間はコレクタ−エミッタ間が導通する。出力側受光素子４４は、光を受光しない間はコレクタ−エミッタ間が導通しない。
【００２０】
出力側回路６０は、出力側受光素子４４とマイコン１００の間に設けられている。出力側回路６０は、デジタルトランジスタ４５と、ノイズキャンセル部４６とを含む。デジタルトランジスタ４５は、トランジスタ４５ａと、抵抗４５ｂと、抵抗４５ｃと、を含む。トランジスタ４５ａは、ノイズキャンセル部４６を介してマイコン１００に接続されている。
【００２１】
ノイズキャンセル部４６は、抵抗４６ａと、コンデンサ４６ｂとを備える。抵抗４６ａは、トランジスタ４５ａとマイコン１００の間に接続されている。コンデンサ４６ｂは、抵抗４６ａと並列に接続されている。抵抗４６ａは小さい抵抗値を有し、コンデンサ４６ｂは小さい容量を有する。抵抗４６ａとコンデンサ４６ｂとにより、マイコン１００に入力される出力信号のノイズがキャンセルされる。以下では、マイコン１００に入力される出力信号のことを、「出力側回路６０の出力信号」と呼ぶ場合がある。
【００２２】
出力側受光素子４４が受光して導通する場合、トランジスタ４５ａのベースに電流が流れるため、トランジスタ４５ａのコレクタ−エミッタ間が導通する。その場合、出力側回路６０は、マイコン１００に高電圧値（５Ｖ電圧）（第１電圧値に相当）を出力する。一方、出力側受光素子４４が受光せず導通しない場合、トランジスタ４５ａのベースに電流が流れないため、トランジスタ４５ａのコレクタ−エミッタ間が導通しない。その場合、出力側回路６０は、マイコン１００に低電圧値（０Ｖ）（第２電圧値に相当）を出力する。この結果、出力側回路６０の出力信号は、高電圧値と低電圧値とを周期的に繰り返すパルス状となる（図３参照）。
【００２３】
マイコン１００は、出力側回路６０に接続されている。マイコン１００は、マイコン１００に入力される信号（即ち出力側回路６０の出力信号）のうちの高電圧値のパルス幅と、当該パルス幅に対応する負荷駆動装置１の動作状態（即ち、交流電源１０のオンオフ状態、及び、第１スイッチ１４のオンオフ状態）とを対応付けて記憶している。マイコン１００は、マイコン１００への入力値に応じて、交流電源１０のオンオフ状態、及び、第１スイッチ１４のオンオフ状態を判定することができる。また、マイコン１００は、第１スイッチ１４のオンオフ状態を判定することで、第１ヒータ１２のオンオフ状態を推定することができる。
【００２４】
上記の各要素を備える判定装置２では、第１電流経路と第２電流経路の２つの電流経路が構築される。第１電流経路は、交流電源１０と、第１スイッチ１４と、第１ヒータ１２と、第１ダイオード２２と、第１抵抗２０と、入力側発光素子４２との間で電流が流れる経路である。第２電流経路は、交流電源１０と、第２ダイオード３２と、第２抵抗３０と、入力側発光素子４２との間で電流が流れる経路である。
【００２５】
本実施例では、図１に示すように、第１電流経路においては、第１ダイオード２２と第１抵抗２０と入力側発光素子４２の直列接続を、第１ヒータ１２に並列に接続したものが、第１スイッチ１４に直列に接続されている。第２電流経路においては、第２ダイオード３２と第２抵抗３０と入力側発光素子４２とが直列に接続されている。
【００２６】
交流電源１０がオン状態である場合には、第２電流経路に電流が流れるが、交流電源がオフ状態である場合には、第２電流経路に電流が流れない。交流電源１０がオン状態であって、さらに第１スイッチ１４がオン状態である場合には、第１電流経路に電流が流れるが、第１スイッチ１４がオフ状態である場合には、第１電流経路に電流が流れない。
【００２７】
第２電流経路に電流が流れる場合、第２電流経路においては、入力側発光素子４２に、第２抵抗３０（抵抗値Ｒ２）に応じた大きさの電流（即ち電流Ｉ２）が流れる。第１電流経路に電流が流れる場合、第１電流経路においては、入力側発光素子４２に、第１抵抗（抵抗値Ｒ１）に応じた大きさの電流（即ち電流Ｉ１）が流れる。本実施例では、入力側発光素子４２を流れる電流は、第１電流経路を流れる電流と第２電流経路を流れる電流の和となる。
【００２８】
そのため、本実施例の判定装置２では、負荷駆動装置１の動作状態（即ち、交流電源１０のオンオフ状態、及び、第１スイッチ１４のオンオフ状態）に応じて、第１電流経路に電流が流れるか否か、第２電流経路に電流が流れるか否か、が変わる。それに応じて、各状態において入力側発光素子４２に流れる電流の大きさが異なる（図２参照）。その結果、各状態における出力側回路６０の出力値も異なる（図３参照）。そのため、マイコン１００は、出力側回路６０の出力値に基づいて、負荷駆動装置１の動作状態（即ち、交流電源１０のオンオフ状態、及び、第１スイッチ１４のオンオフ状態）を判定することができる。
【００２９】
以下、負荷駆動装置１の状態毎の判定装置２の動作を詳しく説明する。
【００３０】
（交流電源１０がオフ状態）
交流電源１０がオフ状態である場合、負荷駆動装置１に電力が供給されない。そのため、第１電流経路と第２電流経路のいずれにも電流が流れない。この場合、入力側発光素子４２にも電流が流れないため、入力側発光素子４２は発光しない。出力側受光素子４４も導通しない。そのため、出力側回路６０も高電圧値を出力せず、マイコン１００にも高電圧値が入力されない。この場合、マイコン１００は、交流電源１０の電源がオフ状態であると判定する。
【００３１】
（交流電源１０がオン状態、第１スイッチ１４がオフ状態）
交流電源１０がオン状態である場合、第２電流経路（即ち、交流電源１０、第２ダイオード３２、第２抵抗３０、及び、入力側発光素子４２を流れる経路）に電流が流れる。しかしながら、交流電源１０がオン状態である間においても、第１スイッチ１４がオフ状態である場合には、第１電流経路（即ち、交流電源１０、第１スイッチ１４、第１ヒータ１２、第１ダイオード２２、第１抵抗２０、及び、入力側発光素子４２を流れる経路）には電流が流れない。即ち、交流電源１０がオン状態、かつ、第１スイッチ１４がオフ状態の間は、図１の実線矢印に示すように、第２電流経路にのみ電流が流れる。そのため、入力側発光素子４２には電流Ｉ２のみが流れる。
【００３２】
図２を参照して、この場合に入力側発光素子４２に流れる電流について詳しく説明する。図２中の実線グラフは、交流電源１０がオン状態、かつ、第１スイッチ１４がオフ状態の間に入力側発光素子４２に流れる電流の波形を示す。実線グラフが示すように、この場合には、入力側発光素子４２には、最大１．５ｍＡの電流が周期的に流れる。本実施例では１周期は１６．６ｍｓ（即ち６０Ｈｚ入力）である。入力側発光素子４２は、１周期のうち、入力側発光素子４２を流れる電流が１．０ｍＡ以上である４．５ｍｓの間発光する。出力側受光素子４４は、入力側発光素子４２が発した光を受光し、受光した期間である４．５ｍｓの間、導通する。それに伴い、トランジスタ４５ａも４．５ｍｓの間導通する。
【００３３】
図３を参照して、この場合における出力側回路６０の出力信号について詳しく説明する。図３中の実線グラフは、交流電源１０がオン状態、かつ、第１スイッチ１４がオフ状態の間における出力側回路６０の出力信号の電圧の波形を示す。実線グラフが示すように、出力側回路６０は、高電圧値（５Ｖ）と低電圧値（０Ｖ）とを周期的に出力する。１周期は１６．６ｍｓである。出力側回路６０は、１周期のうち、出力側受光素子４４及びトランジスタ４５ａが導通する４．５ｍｓの間、高電圧値を出力する。即ち、交流電源１０がオン状態、かつ、第１スイッチ１４がオフ状態の間、出力側回路６０が出力する高電圧値のパルス幅は４．５ｍｓである。
【００３４】
この場合、マイコン１００に、パルス幅４．５ｍｓの高電圧値が周期的に入力される。そして、マイコン１００は、予め記憶している出力値（即ち、高電圧値のパルス幅）と当該出力値に対応する負荷駆動装置１の動作状態とを参照し、交流電源１０がオン状態であり、第１スイッチ１４がオフ状態であると判定する。
【００３５】
（交流電源１０がオン状態、第１スイッチ１４がオン状態）
交流電源１０がオン状態である場合は、上記の通り、第２電流経路に電流が流れる。交流電源１０がオン状態であり、さらに第１スイッチ１４がオンオフ状態である場合には、第１電流経路にも電流が流れる。即ち、交流電源１０、第１スイッチ１４がともにオン状態の間は、図１の破線矢印に示すように、第１電流経路と第２電流経路の両方に電流が流れる。そのため、入力側発光素子４２には電流Ｉ２と電流Ｉ１とを合計した電流（電流Ｉ２＋Ｉ１）が流れる。
【００３６】
図２中の破線グラフは、交流電源１０と第１スイッチ１４が共にオン状態の間に入力側発光素子４２に流れる電流の波形を示す。破線グラフが示すように、この場合には、入力側発光素子４２には、最大３．０ｍＡの電流が周期的に流れる。入力側発光素子４２は、１周期のうち、入力側発光素子４２を流れる電流が１．０ｍＡ以上である６．５ｍｓの間発光する。出力側受光素子４４は、入力側発光素子４２が発した光を受光し、受光した６．５ｍｓの間、導通する（低電圧値を出力する）。それに伴い、トランジスタ４５ａも６．５ｍｓの間導通する。
【００３７】
図３中の破線グラフは、交流電源１０と第１スイッチ１４が共にオン状態の間における出力側回路６０の出力信号の電圧の波形を示す。破線グラフが示すように、出力側回路６０は、１周期のうち、出力側受光素子４４及びトランジスタ４５ａが導通する６．５ｍｓの間、高電圧値を出力する。即ち、交流電源１０及び第１スイッチ１４が共にオン状態である間、出力側回路６０が出力する高電圧値のパルス幅は６．５ｍｓである。
【００３８】
この場合、マイコン１００に、パルス幅６．５ｍｓの高電圧値が周期的に入力される。そして、マイコン１００は、予め記憶している出力値（即ち、高電圧値のパルス幅）と当該出力値に対応する負荷駆動装置１の動作状態とを参照し、交流電源１０及び第１スイッチ１４が共にオン状態であると判定する。
【００３９】
以上、本実施例の判定装置２の構成及び動作について説明した。本実施例の判定装置２によると、マイコン１００は、出力側回路６０の出力値に基づいて、交流電源１０のオン状態とオフ状態、及び、交流電源１０がオン状態である間における第１スイッチ１４のオン状態とオフ状態、の各状態を判定することができる。従って、本実施例の判定装置２によると、交流電源１０を第１ヒータ１２の駆動電源として用いる負荷駆動装置１において、複数の構成要素のオンオフ状態を適切に判定することができる。なお、本実施例の第１ヒータ１２が「第１負荷」の一例である。
【００４０】
また、本実施例では、出力側回路６０の出力信号は、高電圧値と低電圧値とを周期的に繰り返すパルス状である（図３参照）。マイコン１００は、入力される電圧のうち、高電圧値のパルス幅に基づいて、交流電源１０及び第１スイッチ１４のオンオフ状態を判定する。上記の通り、出力側回路６０が出力する高電圧値のパルス幅は、交流電源１０及び第１スイッチ１４のオンオフ状態に応じて異なっている（図３参照）。即ち、出力側回路６０が出力する高電圧値のパルス幅の値は、判定対象である複数の構成要素のそれぞれのオンオフ状態に応じて予め定まっている。本実施例によると、出力側回路６０で出力信号を平滑することなく、マイコン１００がパルス幅を計測することで、交流電源１０及び第１スイッチ１４のオンオフ状態を適切に判断することができる。即ち、本実施例によると、出力側回路６０に出力信号を平滑するための平滑回路を設ける必要がない。従って、本実施例によると、判定装置２は、比較的簡易な構成で、複数の構成要素のそれぞれのオンオフ状態を適切に判断することができる。
【００４１】
（第２実施例）
図４を参照して、第２実施例の判定装置１０２について説明する。本実施例の判定装置１０２も、負荷駆動装置１０１の構成要素のオンオフ状態を判定するための装置である。図４では、第１実施例の判定装置２（図１参照）と同様の要素については同じ符号を用いて図示している。以下、第１実施例の判定装置２（図１参照）と同様の要素については、詳しい説明を省略する場合がある。図４の判定装置１０２は、負荷駆動装置１０１と、第１抵抗２０と、第１ダイオード２２と、第２抵抗３０と、第２ダイオード３２と、第３抵抗５０と、第３ダイオード５２と、フォトカプラ４０と、出力側回路６０と、マイコン１００とを備える。
【００４２】
本実施例では、負荷駆動装置１０１は、交流電源１０と、第１ヒータ１２と、第１スイッチ１４と、第２ヒータ１６と、第２スイッチ１８とを備える。交流電源１０、第１ヒータ１２、及び第１スイッチ１４は、第１実施例と同様である。第２ヒータ１６は、交流電源１０から供給される電力を利用して発熱するヒータである、第２ヒータ１６も、負荷駆動装置１０１における負荷である。第２スイッチ１８は、交流電源１０から第２ヒータ１６への電力の供給を許可するオン状態と、第２ヒータ１６への電力の供給を禁止するオフ状態との間で切り替わるスイッチである。交流電源１０、第１スイッチ１４、及び、第２スイッチ１８のオンオフ状態の切り替えは、図示しない制御装置によって行われる。他の例では、交流電源１０、第１スイッチ１４、及び、第２スイッチ１８のオンオフ状態の切り替えは、マイコン１００によって行われてもよい。
【００４３】
第１抵抗２０は、抵抗値Ｒ１の抵抗である。第１ダイオード２２は第１抵抗２０と直列に接続されている。第１ダイオード２２は、交流電源１０から供給される交流電流を整流する。
【００４４】
第２抵抗３０は、抵抗値Ｒ２の抵抗である。抵抗値Ｒ２は抵抗値Ｒ１と異なる。他の例では、抵抗値Ｒ２は抵抗値Ｒ１と等しくてもよい。第２ダイオード３２は第２抵抗３０と直列に接続されている。第２ダイオード３２は、交流電源１０から供給される交流電流を整流する。
【００４５】
第３抵抗５０は、抵抗値Ｒ３の抵抗である。抵抗値Ｒ３は抵抗値Ｒ１、Ｒ２のいずれとも異なる。他の例では、抵抗値Ｒ３は、抵抗値Ｒ１（第１抵抗２０の抵抗値）と異なっていれば、抵抗値Ｒ２（第２抵抗３０の抵抗値）と等しくてもよい。第３ダイオード５２は第３抵抗５０と直列に接続されている。第３ダイオード５２は、交流電源１０から供給される交流電流を整流する。
【００４６】
フォトカプラ４０も、第１実施例と同様である。入力側発光素子４２は発光ダイオードである。本実施例でも、入力側発光素子４２は、所定の閾値（例えば１．０ｍＡ）以上の大きさの電流が流れる間発光する。入力側発光素子４２は、流れる電流値の大きさに応じて発光時間が変化する（図５参照）。出力側受光素子４４はフォトトランジスタである。本実施例でも、出力側受光素子４４は、光を受光する間に導通し、光を受光しない間は導通しない。
【００４７】
出力側回路６０も、第１実施例と同様である。本実施例でも、出力側回路６０の出力信号（マイコン１００への入力信号）は、高電圧値と低電圧値とを周期的に繰り返すパルス状である（図６参照）。
【００４８】
マイコン１００は、マイコン１００に入力される信号（即ち出力側回路６０の出力信号）のうちの高電圧値のパルス幅と、当該パルス幅に対応する負荷駆動装置１の動作状態（即ち、交流電源１０のオンオフ状態、第１スイッチ１４のオンオフ状態、及び、第２スイッチ１８のオンオフ状態）とを対応付けて記憶している。マイコン１００は、マイコン１００への入力値に応じて、交流電源１０のオンオフ状態、第１スイッチ１４のオンオフ状態、及び、第２スイッチ１８のオンオフ状態を判定することができる。マイコン１００は、第１スイッチ１４のオンオフ状態及び第２スイッチ１８のオンオフ状態を判定することで、第１ヒータ１２及び第２ヒータ１６のオンオフ状態を推定することができる。
【００４９】
上記の各要素を備える判定装置１０２では、第１電流経路と第２電流経路と第３電流経路の３つの電流経路が構築される。第１電流経路は、交流電源１０と、第１スイッチ１４と、第１ヒータ１２と、第１ダイオード２２と、第１抵抗２０と、入力側発光素子４２との間で電流が流れる経路である。第２電流経路は、交流電源１０と、第２ダイオード３２と、第２抵抗３０と、入力側発光素子４２との間で電流が流れる経路である。第３電流経路は、交流電源１０と、第２スイッチ１８と、第２ヒータ１６と、第３ダイオード５２と、第３抵抗５０と、入力側発光素子４２との間で電流が流れる経路である。
【００５０】
本実施例では、図４に示すように、第１電流経路においては、第１ダイオード２２と第１抵抗２０と入力側発光素子４２の直列接続を、第１ヒータ１２に並列に接続したものが、第１スイッチ１４に直列に接続されている。第２電流経路においては、第２ダイオード３２と第２抵抗３０と入力側発光素子４２とが直列に接続されている。第３電流経路においては、第３ダイオード５２と第３抵抗５０と入力側発光素子４２の直列接続を、第２ヒータ１６に並列に接続したものが、第２スイッチ１８に直列に接続されている。
【００５１】
交流電源１０がオン状態である場合には、第２電流経路に電流が流れるが、交流電源がオフ状態である場合には、第２電流経路に電流が流れない。交流電源１０がオン状態であって、さらに第１スイッチ１４がオン状態である場合には、第１電流経路に電流が流れるが、第１スイッチ１４がオフ状態である場合には、第１電流経路に電流が流れない。交流電源１０がオン状態であって、さらに第２スイッチ１８がオン状態である場合には、第３電流経路に電流が流れるが、第２スイッチ１８がオフ状態である場合には、第３電流経路に電流が流れない。
【００５２】
第２電流経路に電流が流れる場合、第２電流経路においては、入力側発光素子４２に、第２抵抗３０（抵抗値Ｒ２）に応じた大きさの電流（即ち電流Ｉ２）が流れる。第１電流経路に電流が流れる場合、第１電流経路においては、入力側発光素子４２に、第１抵抗（抵抗値Ｒ１）に応じた大きさの電流（即ち電流Ｉ１）が流れる。第３電流経路に電流が流れる場合、第３電流経路においては、入力側発光素子４２に、第３抵抗（抵抗値Ｒ３）に応じた大きさの電流（即ち電流Ｉ３）が流れる。即ち、本実施例でも、入力側発光素子４２を流れる電流は、第１電流経路を流れる電流と第２電流経路を流れる電流と第３電流経路を流れる電流との和となる。
【００５３】
そのため、本実施例の判定装置１０２では、負荷駆動装置１０１の動作状態（即ち、交流電源１０のオンオフ状態、第１スイッチ１４のオンオフ状態、及び、第２スイッチ１８のオンオフ状態）に応じて、第１電流経路に電流が流れるか否か、第２電流経路に電流が流れるか否か、第３電流経路に電流が流れるか否か、が変わる。それに応じて、各状態において入力側発光素子４２に流れる電流の大きさが異なる（図５参照）。その結果、各状態における出力側回路６０の出力値も異なる（図６参照）。そのため、マイコン１００は、出力側回路６０の出力値に基づいて、負荷駆動装置１の動作状態（即ち、交流電源１０のオンオフ状態、第１スイッチ１４のオンオフ状態、及び、第２スイッチ１８のオンオフ状態）を判定することができる。
【００５４】
以下、負荷駆動装置１０１の状態毎の判定装置１０２の動作を詳しく説明する。
【００５５】
（交流電源１０がオフ状態）
交流電源１０がオフ状態である場合、負荷駆動装置１０１に電力が供給されない。そのため、いずれの電流経路にも電流が流れない。入力側発光素子４２にも電流が流れないため、入力側発光素子４２は発光しない。出力側受光素子４４も導通しない。そのため、出力側回路６０も高電圧値を出力せず、マイコン１００にも高電圧値が入力されない。この場合、マイコン１００は、交流電源１０の電源がオフ状態であると判定する。
【００５６】
（交流電源１０がオン状態、第１スイッチ１４がオフ状態、第２スイッチ１８がオフ状態）
交流電源１０がオン状態である場合、上記の通り、第２電流経路（即ち、交流電源１０、第２ダイオード３２、第２抵抗３０、及び、入力側発光素子４２を流れる経路）に電流が流れる。しかしながら、交流電源１０がオン状態である間においても、第１スイッチ１４及び第２スイッチ１８がいずれもオフ状態である場合には、第１電流経路（即ち、交流電源１０、第１スイッチ１４、第１ヒータ１２、第１ダイオード２２、第１抵抗２０、及び、入力側発光素子４２を流れる経路）及び第３電流経路（即ち、交流電源１０、第２スイッチ１８、第２ヒータ１６、第３ダイオード５２、第３抵抗５０、及び、入力側発光素子４２を流れる経路）には電流が流れない。即ち、交流電源１０がオン状態、かつ、第１スイッチ１４及び第２スイッチ１８がオフ状態の間は、図４の実線矢印に示すように、第２電流経路にのみ電流が流れる。そのため、入力側発光素子４２には電流Ｉ２のみが流れる。
【００５７】
図５を参照して、この場合に入力側発光素子４２に流れる電流について詳しく説明する。図５中の実線グラフは、交流電源１０がオン状態、第１スイッチ１４及び第２スイッチ１８がオフ状態の間に入力側発光素子４２に流れる電流の波形を示す。実線グラフが示すように、この場合には、入力側発光素子４２には、最大約１．１ｍＡの電流が周期的に流れる。本実施例でも１周期は１６．６ｍｓ（即ち６０Ｈｚ入力）である。入力側発光素子４２は、１周期のうち、入力側発光素子４２を流れる電流が１．０ｍＡ以上である１．９ｍｓの間発光する。出力側受光素子４４は、受光した期間である１．９ｍｓの間、導通する。それに伴い、トランジスタ４５ａも１．９ｍｓの間導通する。
【００５８】
図６を参照して、この場合における出力側回路６０の出力信号について詳しく説明する。図６中の実線グラフは、交流電源１０がオン状態、第１スイッチ１４及び第２スイッチ１８がオフ状態の間における出力側回路６０の出力信号の電圧の波形を示す。実線グラフが示すように、出力側回路６０は、高電圧値（５Ｖ）と低電圧値（０Ｖ）とを周期的に出力する。１周期は１６．６ｍｓである。出力側回路６０は、１周期のうち、出力側受光素子４４及びトランジスタ４５ａが導通する１．９ｍｓの間、高電圧値を出力する。即ち、交流電源１０がオン状態、第１スイッチ１４及び第２スイッチ１８がオフ状態の間、出力側回路６０が出力する高電圧値のパルス幅は１．９ｍｓである。
【００５９】
この場合、マイコン１００に、パルス幅１．９ｍｓの高電圧値が周期的に入力される。そして、マイコン１００は、予め記憶している出力値（即ち、高電圧値のパルス幅）と当該出力値に対応する負荷駆動装置１０１の動作状態とを参照し、交流電源１０がオン状態であり、第１スイッチ１４及び第２スイッチ１８がオフ状態であると判定する。
【００６０】
（交流電源１０がオン状態、第１スイッチ１４がオン状態、第２スイッチ１８がオフ状態）
交流電源１０がオン状態である場合は、上記の通り、第２電流経路に電流が流れる。さらに第１スイッチ１４がオン状態である場合には、第１電流経路にも電流が流れる。ただし、第２スイッチ１８がオフ状態であるため、第３電流経路には電流が流れない。即ち、交流電源１０及び第１スイッチ１４がオン状態であり、第２スイッチ１８がオフ状態の間は、図４の破線矢印に示すように、第１電流経路と第２電流経路の両方に電流が流れる。そのため、入力側発光素子４２には電流Ｉ２と電流Ｉ１とを合計した電流（電流Ｉ２＋Ｉ１）が流れる。
【００６１】
図５中の破線グラフは、交流電源１０と第１スイッチ１４がオン状態であり、第２スイッチ１８がオフ状態である間に入力側発光素子４２に流れる電流の波形を示す。破線グラフが示すように、この場合には、入力側発光素子４２には、最大約１．３ｍＡの電流が周期的に流れる。入力側発光素子４２は、１周期のうち、入力側発光素子４２を流れる電流が１．０ｍＡ以上である３．８ｍｓの間発光する。出力側受光素子４４は、入力側発光素子４２が発した光を受光し、受光した３．８ｍｓの間、導通する。それに伴い、トランジスタ４５ａも３．８ｍｓの間導通する。
【００６２】
図６中の破線グラフは、交流電源１０と第１スイッチ１４がオン状態であり、第２スイッチ１８がオフ状態である間における出力側回路６０の出力信号の電圧の波形を示す。破線グラフが示すように、出力側回路６０は、１周期のうち、出力側受光素子４４及びトランジスタ４５ａが導通する３．８ｍｓの間、高電圧値を出力する。即ち、交流電源１０と第１スイッチ１４がオン状態であり、第２スイッチ１８がオフ状態である間、出力側回路６０が出力する高電圧値のパルス幅は３．８ｍｓである。
【００６３】
この場合、マイコン１００に、パルス幅３．８ｍｓの高電圧値が周期的に入力される。そして、マイコン１００は、予め記憶している出力値（即ち、高電圧値のパルス幅）と当該出力値に対応する負荷駆動装置１０１の動作状態とを参照し、交流電源１０と第１スイッチ１４がオン状態であり、第２スイッチ１８がオフ状態であると判定する。
【００６４】
（交流電源１０がオン状態、第１スイッチ１４がオフ状態、第２スイッチ１８がオン状態）
交流電源１０がオン状態である場合は、上記の通り、第２電流経路に電流が流れる。さらに第２スイッチ１８がオン状態である場合には、第３電流経路にも電流が流れる。ただし、第１スイッチ１４がオフ状態であるため、第１電流経路には電流が流れない。即ち、交流電源１０及び第２スイッチ１８がオン状態であり、第１スイッチ１４がオフ状態の間は、図４の一点鎖線矢印に示すように、第２電流経路と第３電流経路の両方に電流が流れる。そのため、入力側発光素子４２には電流Ｉ２と電流Ｉ３とを合計した電流（電流Ｉ２＋Ｉ３）が流れる。
【００６５】
図５中の一点鎖線グラフは、交流電源１０と第２スイッチ１８がオン状態であり、第１スイッチ１４がオフ状態である間に入力側発光素子４２に流れる電流の波形を示す。一点鎖線グラフが示すように、この場合には、入力側発光素子４２には、最大約１．５５ｍＡの電流が周期的に流れる。入力側発光素子４２は、１周期のうち、入力側発光素子４２を流れる電流が１．５５ｍＡ以上である４．５ｍｓの間発光する。出力側受光素子４４は、入力側発光素子４２が発した光を受光し、受光した４．５ｍｓの間、導通する。それに伴い、トランジスタ４５ａも４．５ｍｓの間導通する。
【００６６】
図６中の一点鎖線グラフは、交流電源１０と第２スイッチ１８がオン状態であり、第１スイッチ１４がオフ状態である間における出力側回路６０の出力信号の電圧の波形を示す。一点鎖線グラフが示すように、出力側回路６０は、１周期のうち、出力側受光素子４４及びトランジスタ４５ａが導通する４．５ｍｓの間、高電圧値を出力する。即ち、交流電源１０と第２スイッチ１８がオン状態であり、第１スイッチ１４がオフ状態である間、出力側回路６０が出力する高電圧値のパルス幅は４．５ｍｓである。
【００６７】
この場合、マイコン１００に、パルス幅４．５ｍｓの高電圧値が周期的に入力される。そして、マイコン１００は、予め記憶している出力値（即ち、高電圧値のパルス幅）と当該出力値に対応する負荷駆動装置１０１の動作状態とを参照し、交流電源１０と第２スイッチ１８がオン状態であり、第１スイッチ１４がオフ状態であると判定する。
【００６８】
（交流電源１０、第１スイッチ１４、第２スイッチ１８がいずれもオン状態）
交流電源１０、第１スイッチ１４、第２スイッチ１８がいずれもオン状態である場合は、図４の二点鎖線矢印に示すように、上記の第１、第２、第３電流経路のすべてに電流が流れる。そのため、入力側発光素子４２には電流Ｉ１と電流Ｉ２と電流Ｉ３とを合計した電流（電流Ｉ１＋Ｉ２＋Ｉ３）が流れる。
【００６９】
図５中の二点鎖線グラフは、交流電源１０、第１スイッチ１４、第２スイッチ１８がいずれもオン状態である間に入力側発光素子４２に流れる電流の波形を示す。二点鎖線グラフが示すように、この場合には、入力側発光素子４２には、最大約１．８ｍＡの電流が周期的に流れる。入力側発光素子４２は、１周期のうち、入力側発光素子４２を流れる電流が１．８ｍＡ以上である５．７ｍｓの間発光する。出力側受光素子４４は、入力側発光素子４２が発した光を受光し、受光した５．７ｍｓの間、導通する。それに伴い、トランジスタ４５ａも５．７ｍｓの間導通する。
【００７０】
図６中の二点鎖線グラフは、交流電源１０、第１スイッチ１４、第２スイッチ１８がいずれもオン状態である間における出力側回路６０の出力信号の電圧の波形を示す。二点鎖線グラフが示すように、出力側回路６０は、１周期のうち、出力側受光素子４４及びトランジスタ４５ａが導通する５．７ｍｓの間、高電圧値を出力する。即ち、交流電源１０、第１スイッチ１４、第２スイッチ１８がいずれもオン状態である間、出力側回路６０が出力する高電圧値のパルス幅は５．７ｍｓである。
【００７１】
この場合、マイコン１００に、パルス幅５．７ｍｓの高電圧値が周期的に入力される。そして、マイコン１００は、予め記憶している出力値（即ち、高電圧値のパルス幅）と当該出力値に対応する負荷駆動装置１０１の動作状態とを参照し、交流電源１０、第１スイッチ１４、第２スイッチ１８がいずれもオン状態であると判定する。
【００７２】
以上、本実施例の判定装置１０２の構成及び動作について説明した。本実施例の判定装置１０２によると、交流電源１０がオン状態であり、さらに第２スイッチ１８がオン状態である場合には、第３電流経路にも電流が流れる。そのため、交流電源１０のオン状態とオフ状態、交流電源１０がオン状態である間における第１スイッチ１４のオン状態とオフ状態、及び、交流電源１０がオン状態である間における第２スイッチ１８のオン状態とオフ状態、の各状態において入力側発光素子４２に流れる電流の大きさが異なる。そのため、この場合も、各状態における出力側回路６０の出力値は異なる。従って、マイコン１００は、出力側回路６０の出力値に基づいて各状態を適切に判定することができる。本実施例の第２ヒータ１６が「第２負荷」の一例である。
【００７３】
（第３実施例）
図７を参照して、第３実施例の判定装置２０２について説明する。本実施例の判定装置２０２は、第１実施例の判定装置２（図１参照）の変形例である。判定装置２０２も、第１実施例の判定装置２と同様に、負荷駆動装置１と、第１抵抗２０と、第１ダイオード２２と、第２抵抗３０と、第２ダイオード３２と、フォトカプラ４０と、出力側回路６０と、マイコン１００と、を備える。負荷駆動装置１の構成要素も第１実施例と共通する。なお、図７では、便宜上、フォトカプラ４０の入力側発光素子４２と出力側受光素子４４とを相互に離間させた位置に図示しているが、実際には、出力側受光素子４４は、入力側発光素子４２の光を受光可能な位置に配置されている。
【００７４】
図７に示すように、本実施例の判定装置２０２では、入力側発光素子４２、第２抵抗３０、第２ダイオード３２、第１抵抗２０、第１ダイオード２２、第１ヒータ１２、及び、第１スイッチ１４のそれぞれの要素の接続位置が第１実施例の判定装置２とは異なる。ただし、本実施例の判定装置２０２でも、第１実施例の判定装置２と同様に、第１電流経路（即ち、交流電源１０と、第１スイッチ１４と、第１ヒータ１２と、第１ダイオード２２と、第１抵抗２０と、入力側発光素子４２との間で電流が流れる経路）と、第２電流経路（交流電源１０と、第２ダイオード３２と、第２抵抗３０と、入力側発光素子４２との間で電流が流れる経路）と、が構築される。
【００７５】
本実施例でも、図７に示すように、第１電流経路においては、第１ダイオード２２と第１抵抗２０と入力側発光素子４２の直列接続を、第１ヒータ１２に並列に接続したものが、第１スイッチ１４に直列に接続されている。第２電流経路においては、第２ダイオード３２と第２抵抗３０と入力側発光素子４２とが直列に接続されている。
【００７６】
従って、本実施例の判定装置１０２の各状態における動作も、第１実施例の判定装置２の動作と同様である。本実施例の判定装置１０２も、第１実施例の判定装置２と同様の作用効果を発揮することができる。
【００７７】
（第４実施例）
図８を参照して、第４実施例の判定装置３０２について説明する。本実施例の判定装置３０２は、第２実施例の判定装置１０２（図４参照）の変形例である。判定装置３０２も、第２実施例の判定装置１０２と同様に、負荷駆動装置１０１と、第１抵抗２０と、第１ダイオード２２と、第２抵抗３０と、第２ダイオード３２と、第３抵抗５０と、第３ダイオード５２と、フォトカプラ４０と、出力側回路６０と、マイコン１００と、を備える。負荷駆動装置１０１の構成要素も第２実施例と共通する。なお、図８でも、便宜上、フォトカプラ４０の入力側発光素子４２と出力側受光素子４４とを相互に離間させた位置に図示しているが、実際には、出力側受光素子４４は、入力側発光素子４２の光を受光可能な位置に配置されている。
【００７８】
図８に示すように、本実施例の判定装置３０２では、入力側発光素子４２、第２抵抗３０、第２ダイオード３２、第１抵抗２０、第１ダイオード２２、第１ヒータ１２、第１スイッチ１４、第３ダイオード５２、第３抵抗５０、第２ヒータ１６、及び、第２スイッチ１８のそれぞれの要素の接続位置が第２実施例の判定装置１０２とは異なる。ただし、本実施例の判定装置３０２でも、第２実施例の判定装置１０２と同様に、第１電流経路（即ち、交流電源１０と、第１スイッチ１４と、第１ヒータ１２と、第１ダイオード２２と、第１抵抗２０と、入力側発光素子４２との間で電流が流れる経路）と、第２電流経路（交流電源１０と、第２ダイオード３２と、第２抵抗３０と、入力側発光素子４２との間で電流が流れる経路）と、第３電流経路（即ち、交流電源１０と、第２スイッチ１８と、第２ヒータ１６と、第３ダイオード５２と、第３抵抗５０と、入力側発光素子４２との間で電流が流れる経路）が構築される。
【００７９】
本実施例でも、図８に示すように、第１電流経路においては、第１ダイオード２２と第１抵抗２０と入力側発光素子４２の直列接続を、第１ヒータ１２に並列に接続したものが、第１スイッチ１４に直列に接続されている。第２電流経路においては、第２ダイオード３２と第２抵抗３０と入力側発光素子４２とが直列に接続されている。第３電流経路においては、第３ダイオード５２と第３抵抗５０と入力側発光素子４２の直列接続を、第２ヒータ１６に並列に接続したものが、第２スイッチ１８に直列に接続されている。
【００８０】
従って、本実施例の判定装置３０２の各状態における動作も、第２実施例の判定装置１０２の動作と同様である。本実施例の判定装置３０２も、第２実施例の判定装置１０２と同様の作用効果を発揮することができる。
【００８１】
以上、実施例について詳細に説明したが、これらは例示に過ぎず、特許請求の範囲を限定するものではない。特許請求の範囲に記載の技術には、以上に例示した具体例を様々に変形、変更したものが含まれる。  
【００８２】
（変形例１）上記の各実施例では、出力側回路６０の出力信号は、高電圧値と低電圧値とを周期的に繰り返すパルス状であり、その出力信号が平滑されることなくマイコン１００に入力される。これに限られず、出力側回路６０が、出力信号を平滑するための平滑回路を含んでいてもよい。平滑回路で平滑されることにより、パルス状の出力信号は、高電圧値のパルス幅に応じた大きさ（レベル）の電圧値に変換される。マイコン１００には、平滑後の出力信号が入力される。この場合、マイコン１００は、出力信号の電圧値の大きさに基づいて、負荷駆動装置１（１０１）の動作状態を判定してもよい。
【００８３】
（変形例２）上記の第２、第４実施例の判定装置１０２、３０２において、第２抵抗３０と第２ダイオード３２が省略されてもよい。その場合、判定装置１０２、３０２が、第１電流経路及び第３電流経路のみを構築し、第２電流経路を構築しなくてもよい。その場合、判定装置１０２、３０２のマイコン１００は、第１スイッチ１４のオンオフ状態、及び、第２スイッチ１８のオンオフ状態のみを判定可能であってもよい。
【００８４】
（変形例３）上記の各実施例では、マイコン１００は、出力側回路６０の出力信号のうちの高電圧値（５Ｖ。第１電圧値の一例）と、低電圧値（０Ｖ。第２電圧値の一例）のうち、高電圧値（第１電圧値）のパルス幅を計測することで、負荷駆動装置１（１０１）の動作状態を判定している。これに限られず、マイコン１００は、出力側回路６０の出力信号のうちの高電圧値と、低電圧値のうち、低電圧値（第２電圧値）のパルス幅を計測することで、負荷駆動装置１（１０１）の動作状態を判定してもよい。
【００８５】
（変形例４）出力側回路６０のデジタルトランジスタ４５が省略されてもよい。その場合、出力側回路６０は、出力側受光素子４４が導通する間に低電圧値（例えば０Ｖ。第１電圧値の一例）の出力信号を出力し、出力側受光素子４４が導通しない間には高電圧値（例えば５Ｖ。第２電圧値の一例）を出力してもよい。この場合も、マイコン１００は、出力信号のうちの低電圧値（第１電圧値）のパルス幅と、高電圧値（第２電圧値）のパルス幅と、のうちの一方に基づいて、負荷駆動装置１（１０１）の動作状態を判定してもよい。
【００８６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８７】
１、１０１：負荷駆動装置
２、１０２、２０２、３０２：判定装置
１０：交流電源
１２：第１ヒータ
１４：第１スイッチ
１６：第２ヒータ
１８：第２スイッチ
２０：第１抵抗
２２：第１ダイオード
３０：第２抵抗
３２：第２ダイオード
４０：フォトカプラ
４２：入力側発光素子
４４：出力側受光素子
４５：デジタルトランジスタ
４５ａ：トランジスタ
４５ｂ：抵抗
４５ｃ：抵抗
４６：ノイズキャンセル部
４６ａ：抵抗
４６ｂ：コンデンサ
５０：第３抵抗
５２：第３ダイオード
６０：出力側回路
１００：マイコン
【図１】
2020005016.tif 000003
【図２】
2020005016.tif 000004
【図３】
2020005016.tif 000005
【図４】
2020005016.tif 000006
【図５】
2020005016.tif 000007
【図６】
2020005016.tif 000008
【図７】
2020005016.tif 000009
【図８】
2020005016.tif 000010